(57)【要約】【課題】  スルーホールの表裏で異なる信号回路を構成することができ、多層プリント配線基板の表裏同位置に異なる電子部品を実装して、高密度化を図ること。【解決手段】  内部に内層回路２が形成された積層基板１０と、積層基板１０を積層方向に貫通するスルーホール３と、スルーホール３の両開口部に形成されたランド４と、スルーホールの内壁に形成されランド４間を接続する導体壁５と、を備えた多層プリント配線基板１であって、多層プリント配線基板１の表裏面の少なくとも一方の面から内部に向かって導体壁５の一部を切除する切除穴７，７’を形成し、導体壁５を所定の層で絶縁した。【選択図】図１
2008066544.tif 000002
【特許請求の範囲】
【請求項１】
内部に内層回路が形成された積層基板と、この積層基板を積層方向に貫通するスルーホールと、このスルーホールの両開口部に形成されたランドと、前記スルーホールの内壁に形成され前記ランド間を接続する導体壁と、を備えた多層プリント配線基板であって、
当該多層プリント配線基板の表裏面の少なくとも一方の面から内部に向かって前記導体壁の一部を切除する切除穴を形成し、前記導体壁を所定の層で絶縁した、ことを特徴とする多層プリント配線基板。
【請求項２】
内部に内層回路が形成された積層基板と、この積層基板を積層方向に貫通するスルーホールと、このスルーホールの両開口部に形成されたランドと、前記スルーホールの内壁に形成され前記ランド間を接続する導体壁と、を備えた多層プリント配線基板であって、
前記積層基板を貫通せずに少なくとも前記導体壁の一部を切除する切除穴を、前記多層プリント配線基板の表側及び裏側からそれぞれ形成し、前記導体壁を所定の層で絶縁した、ことを特徴とする多層プリント配線基板。
【請求項３】
前記切除穴を、前記スルーホールに沿って形成した、ことを特徴とする請求項２記載の多層プリント配線基板。
【請求項４】
前記切除穴を、前記スルーホールの表裏でそれぞれ異なる位置に形成した、ことを特徴とする請求項３記載の多層プリント配線基板。
【請求項５】
前記ランドに複数の信号回路が接続されている場合に、前記切除穴にて前記ランドの一部切除すると共に、各信号回路が独立するように前記切除穴を配置し、前記ランド及び前記導体壁を分割した、ことを特徴とする請求項４記載の多層プリント配線基板。
【請求項６】
前記ランド及び前記導体壁を分割して独立させた前記信号回路の１つを、電源用とした、ことを特徴とする請求項５記載の多層プリント配線基板。
【請求項７】
異なる層に形成された前記内層回路間を相互に接続する内部接続ホールを、前記積層基板の内部に設けた、ことを特徴とする請求項１，２，３，４，５又は６記載の多層プリント配線基板。
【請求項８】
内部に内層回路が形成された積層基板を一括積層して、この積層基板を貫通するスルーホールを備えた多層プリント配線基板を形成する第１の工程と、
当該多層プリント配線基板の表裏面の少なくとも一方の面から内部に向かって前記導体壁の一部を切除する切除穴を設け、前記導体壁を所定の層で絶縁する第２の工程と、
を有することを特徴とする多層プリント配線基板の製造方法。
【請求項９】
内部に内層回路が形成された積層基板を一括積層して、この積層基板を貫通するスルーホールを備えた多層プリント配線基板を形成する第１の工程と、
前記積層基板を貫通せずに、少なくとも前記スルーホールの内壁に形成されている前記導体壁の一部を切除する切除穴を、前記多層プリント配線基板の表側及び裏側からそれぞれ形成し、前記導体壁を所定の層で絶縁する第２の工程と、
を有することを特徴とする多層プリント配線基板の製造方法。
【請求項１０】
前記第２の工程は、前記切除穴を前記スルーホールに沿って形成する、ことを特徴とする請求項９記載の多層プリント配線基板の製造方法。
【請求項１１】
前記第２の工程は、前記切除穴を前記スルーホールの表裏でそれぞれ異なる位置に形成する、ことを特徴とする請求項１０記載の多層プリント配線基板の製造方法。
【請求項１２】
前記第２の工程は、前記ランドに複数の信号回路が接続されている場合に、前記切除穴にて前記ランドを切除すると共に、各信号回路が独立するように前記切除穴を配置し、前記ランド及び前記導体壁を分割する、ことを特徴とする請求項１１記載の多層プリント配線基板の製造方法。
【請求項１３】
前記第１の工程の前に、異なる層に形成された前記内層回路間を相互に接続する内部接続ホールを、前記積層基板の内部に設ける内部接続ホール形成工程を有する、ことを特徴とする請求項８，９，１０，１１又は１２記載の多層プリント配線基板の製造方法。
【発明の詳細な説明】
【技術分野】
【０００１】
本発明は、多層プリント配線基板にかかり、特に、スルーホールを有する多層プリント配線基板に関する。
【背景技術】
【０００２】
従来より、多層プリント配線基板の表裏の接続をする際に、スルーホールが用いられているが、スルーホールには１つの信号回路しか割り当てることができないため、表裏同位置に異なる信号回路のスルーホールを設けることができない。このため、プリント配線基板の表裏同位置に異なる電子部品を実装することができず、電子部品の高密度実装が困難であった。この対策としては、スルーホールが設けられている基板上に、別の基板を重ねて電子部品を実装するビルドアップ配線基板という構成が用いられている。
【０００３】
【特許文献１】特開平４−６４２７８
【特許文献２】特開平８−１８６３８１
【特許文献３】特開２００２−６４２５５
【発明の開示】
【発明が解決しようとする課題】
【０００４】
しかしながら、上述したビルドアップ配線基板を用いた方法では、製作工法上、ビルドアップできる層数に制約がある。さらに、一層ずつ積み上げて製造していくため、製造期間が長くなる、という問題が生じる。
【０００５】
また、電子部品の高密度実装を目的とした基板の構造としては、特許文献１に示すような構造が用いられている。具体的には、ランド部をドリルで削り取ることによって、スルーホールの信号回路を複数に分けている。
【０００６】
しかし、特許文献１に示す構造は、基板片面からドリル加工するものであり、また、スルーホールの導通路を円周方向に分けるものであるため、基板の表裏で独立した信号回路を得ることはできない。したがって、依然として、表裏同位置に電子部品を実装することは困難である。
【０００７】
また、電子部品の高密度実装を目的とした基板の別の構造としては、特許文献２に示すような構造が用いられている。特許文献２に示す構造は、大径スルーホールと、小径スルーホールと、で段付きスルーホールを形成しており、この段付きスルーホール内の導体層はそれぞれ離間している。さらに、段付きスルーホール内の導体層は、円周方向に分割して形成されている。かかる構造は、多層プリント配線板の製造工程で、十字型中子と、ワッシャと、を段付きスルーホールに挿入することによって形成される。具体的には、この十字型中子は、大径スルーホール用の十字型中子と、小径スルーホール用の十字型中子と、で形成されている。また、ワッシャは、外径が大径スルーホールと、内径が小径スルーホールと、それぞれ同じ大きさで形成されている。さらに、このワッシャは、大径スルーホール用の十字型中子と小径スルーホール用の十字型中子の間に組み合わされて、段付きスルーホールにめっきを施す際に、十字型中子と共に挿入される。そして、この中子及びワッシャと接触した箇所が、めっきされない部分となるため、導体層が分割される。
【０００８】
しかし、特許文献２に示す構造は、多層プリント基板の積層工程で導体層を分割するものであるため、工程数が増えるなどの問題が生じてしまう。
【０００９】
また、スルーホールの構造に関するものとして、特許文献３に示すような構造も用いられている。しかし、この特許文献３に示す構造は、接続導体のインダクタンスを低下させて、信号処理回路の安定した動作を図るものであり、また、スルーホールも円周を分割するものであるため、基板の表裏で独立した信号回路を得ることはできない。したがって、依然として、表裏同位置に電子部品を実装することは困難である。
【００１０】
このため、本発明では、上記従来例の有する不都合を改善し、特に、電子部品の高密度実装を実現することができる多層プリント配線基板を提供すること、をその目的とする。
【課題を解決するための手段】
【００１１】
そこで、本発明の一形態である多層プリント配線基板は、内部に内層回路が形成された積層基板と、積層基板を積層方向に貫通するスルーホールと、スルーホールの両開口部に形成されたランドと、スルーホールの内壁に形成されランド間を接続する導体壁と、を備えた多層プリント配線基板であって、多層プリント配線基板の表裏面の少なくとも一方の面から内部に向かって導体壁の一部を切除する切除穴を形成し、導体壁を所定の層で絶縁した、ことを特徴としている。かかる構成によると、多層プリント配線基板の表面から内部に向かって掘削する切除穴を形成して導体壁を切除するため、導体壁を所定の層で絶縁することができる。これにより、スルーホールの表裏で異なる信号回路を構成することができ、多層プリント配線基板の表裏同位置に異なる電子部品を実装することができる。したがって、多層プリント配線基板における電子部品の高密度実装を実現することができる。
【００１２】
また、内部に内層回路が形成された積層基板と、積層基板を積層方向に貫通するスルーホールと、スルーホールの両開口部に形成されたランドと、スルーホールの内壁に形成されランド間を接続する導体壁と、を備えた多層プリント配線基板であって、積層基板を貫通せずに少なくとも導体壁の一部を切除する切除穴を、多層プリント配線基板の表側及び裏側からそれぞれ形成し、導体壁を所定の層で絶縁した、ことを特徴としている。かかる構成によると、多層プリント配線基板の表側に形成された切除穴による導体壁の切除部と、裏側に形成された切除穴による導体壁の切除部と、が所定の層で重なることによって、かかる箇所における導体壁を全て切除することができる。これにより、スルーホールの表裏で異なる信号回路を構成することができ、多層プリント配線基板の表裏同位置に異なる電子部品を実装することができる。したがって、多層プリント配線基板における電子部品の高密度実装を実現することができる。
【００１３】
また、切除穴を、スルーホールに沿って形成した、ことを特徴としている。これにより、スルーホール内の導体壁を、積層方向に切除することができる。つまり、積層基板の基板面に対して垂直に切除穴を形成するため、簡易な方法で切除穴を形成することができる。
【００１４】
そして、ランドに複数の信号回路が接続されている場合に、切除穴にてランドの一部切除すると共に、各信号回路が独立するように切除穴を配置し、ランド及び前記導体壁を分割した、ことを特徴としている。かかる構成によると、分割後に残存するランド及び導体壁によって各信号回路を独立させることができる。これにより、１つのランド及びスルーホールに複数の信号回路を割り付けることができる。したがって、多層プリント配線基板における電子部品の高密度実装を実現することができる。
【００１５】
また、ランド及び導体壁を分割して独立させた信号回路の１つを、電源用とした、ことを特徴としている。これにより、電源用の信号回路に接近する導体壁が相互誘導結合状態になり、電流を相互に打ち消し合うため、スルーホール内でインピーダンス整合を行うことができる。したがって、簡易な方法で信号の反射を抑えることができ、高速に信号の伝送が可能となる。
【００１６】
また、異なる層に形成された内層回路間を相互に接続する内部接続ホールを、積層基板の内部に設けた、ことを特徴としている。かかる構造によると、スルーホール内の導体壁が所定の層で分割され、表裏独立した信号回路が形成されていても、内部接続ホールによって特定の層間に形成された内層回路間を接続し、多層プリント配線基板の表裏を接続することができる。したがって、新たにスルーホールを設けることなく、多層プリント配線基板の表裏接続が可能となる。これにより、多層プリント配線基板における電子部品の高密度実装を実現することができる。
【００１７】
そして、本発明の他の形態である上記多層プリント配線基板を製造する方法は、内部に内層回路が形成された積層基板を一括積層して、積層基板を貫通するスルーホールを備えた多層プリント配線基板を形成する第１の工程と、多層プリント配線基板の表裏面の少なくとも一方の面から内部に向かって導体壁の一部を切除する切除穴を設け、導体壁を所定の層で絶縁する第２の工程と、を有することを特徴としている。
【００１８】
また、本発明の他の形態である上記多層プリント配線基板を製造する方法は、内部に内層回路が形成された積層基板を一括積層して、この積層基板を貫通するスルーホールを備えた多層プリント配線基板を形成する第１の工程と、積層基板を貫通せずに、少なくともスルーホールの内壁に形成されている導体壁の一部を切除する切除穴を、多層プリント配線基板の表側及び裏側からそれぞれ形成し、導体壁を所定の層で絶縁する第２の工程、を有することを特徴としている。
【００１９】
そして、第２の工程は、切除穴をスルーホールに沿って形成する、ことを特徴としている。また、第２の工程は、切除穴をスルーホールの表裏でそれぞれ異なる位置に形成する、ことを特徴としている。
【００２０】
また、第２の工程は、ランドに複数の信号回路が接続されている場合に、切除穴にてランドを切除すると共に、各信号回路が独立するように切除穴を配置し、ランド及び導体壁を分割する、ことを特徴としている。
【００２１】
また、第１の工程の前に、異なる層に形成された内層回路間を相互に接続する内部接続ホールを、積層基板内部に設ける内部接続ホール形成工程を有する、ことを特徴としている。
【発明の効果】
【００２２】
本発明は、以上のように構成され機能するので、これによると、導体壁を所定の層で表側と裏側に分割することができる。したがって、スルーホールの表裏で異なる信号回路を構成することができ、多層プリント配線基板の表裏同位置に異なる電子部品を実装して、高密度化を図ることができる、という従来にない優れた効果を有する。
【発明を実施するための最良の形態】
【００２３】
本発明は、多層プリント配線基板の表裏面の少なくとも一方の面から内部に向かって導体壁の一部を切除する切除穴を形成し、導体壁を、所定の層で表裏に分割する、ことに特徴を有する。以下、多層プリント配線基板の具体的な構成及びその製造方法を、実施例を参照して説明する。
【実施例１】
【００２４】
本発明の第１の実施例を、図１乃至図６を参照して説明する。図１は、本実施例における切除穴が形成されたスルーホール周辺の拡大断面図である。図２は、切除穴が形成されたスルーホール周辺の上面図である。図３は、切除穴が形成されていないスルーホール周辺の拡大断面図である。図４は、ランド、導体壁及び切除穴の位置関係を説明する説明図である。図５は、ランド及び導体壁の構成を示す構成図である。図６は、本実施例における多層プリント配線基板の製造方法を工程順に説明する説明図である。
【００２５】
［構成］
図１乃至図３に示すように、本発明における多層プリント配線基板１は、絶縁体８と、内層回路２と、が交互に配置されており、それらを一括して積層した多層基板１０を備えている。具体的には、多層プリント配線基板１は、積層基板１０の内部に、絶縁体８が３層（第１層乃至第３層）形成されており、各層間（第１層乃至第２層間及び第２層乃至第３層間）に内層回路２を備えている。また、積層基板１０の基板面に対して垂直に貫通するスルーホール３が、多層プリント配線基板１の任意の位置に形成されている。なお、具体的な位置については後述するものとする。そして、スルーホール３の表裏それぞれの開口部及びスルーホール３の各層間にランド４が形成されている。さらに、ランド４間を接続する導体壁５が、スルーホール３の内壁に形成されている。そして、ランド４及び導体壁５を切除する切除穴７，７’が、ランド４上であってスルーホール３の表裏に、それぞれ２箇所ずつ形成されている。なお、本実施例では、多層プリント配線基板１が、積層基板１０の内部に、絶縁体８と、内層回路２と、を交互に配置して、それらを一括して積層したものである場合を説明したが、これは一例であって、一括して積層した場合に限られず、１層ずつ積み重ねるようにして積層したものであってもよい。
【００２６】
積層基板１０は、例えば、両面基板である。そして、積層基板１０には電子部品などが実装される。本実施例では、積層基板１０の内部に、後述する絶縁体８及び内層回路２を交互に配置して多層プリント配線基板１を構成している。
【００２７】
絶縁体８は、多層基板などを形成する際に用いられるものである。そして、絶縁体８は、多層プリント配線基板１の内部で、内層回路２と交互に配置されている。なお、本実施例では、積層基板１０の内部に絶縁体８が３層（第１層乃至第３層）積層されている。但し、これは一例であって、積層基板１０の内部に絶縁体８が３層積層されている場合に限られない。
【００２８】
パターン６は、配線回路を構成する際に用いられ、積層基板１０の表面裏面の回路及び後述する内層回路２を形成し、ランド４に接続される。
【００２９】
内層回路２は、積層基板１０の内部の絶縁体８間において、パターン６によって構成された配線回路である。この内層回路２は、多層プリント配線基板１に実装された電子部品（図示せず）間を接続するものである。そして、図１に示すように、積層基板１０の内部には内層回路２が２つ（第１層乃至第２層間及び第２層乃至第３層間）形成されている。また、内層回路２には、所定の箇所にランド４が形成されている。そして、内層回路２を構成するパターン６及びランド４と、後述する導体壁５と、が接続されることで、相互に異なり上下に位置する内層回路２間が接続される。なお、本実施例では、内層回路２を２つ形成した場合を説明したが、これは一例であって、２つの場合に限られず、より多くの内層回路２を形成してもよい。
【００３０】
スルーホール３は、例えば、多層プリント配線基板１の表裏を貫通する円筒形の貫通穴である。なお、スルーホール３は、多層プリント配線基板１の積層前に、各層に予めスルーホールを形成しておき、これらのスルーホールが同位置に位置し、貫通するように積層して形成される。そして、図３に示すように、スルーホール３の表側及び裏側それぞれの開口部には、後述するランド４が形成されている。また、スルーホール３の内壁面には、後述する導体壁５が形成されており、ランド４間を接続している。つまり、スルーホール３は、多層プリント配線基板１の表裏を接続する場合に用いられる。そして、図１に示すように、このスルーホール３に、後述する切除穴７，７’を形成することによって、ランド４及び導体壁５が、図４に示したように切除される。なお、本実施例では、多層プリント配線基板１の積層前に、各層に予めスルーホールを形成しておき、このスルーホールが同位置になるように各層を積層してスルーホール３を形成する場合を説明したが、これは一例であって、多層プリント配線基板１が一括積層された後に、スルーホール３を形成してもよい。
【００３１】
ランド４は、例えば、環状の導体である。そして、ランド４は、積層基板１０及び内層回路２においてパターン６と接続される。また、ランド４は、スルーホール３の表裏それぞれの開口部及びスルーホール３の各層間に形成されている。そして、各ランド４間が、後述する導体壁５によって接続されている。また、ランド４は、後述する切除穴７，７’によって、図２及び図５に示すように、パターン６と接続している箇所を残して切除される。これにより、ランド４に接続される信号回路を分割して独立させることができる。
【００３２】
導体壁５は、スルーホール３の内壁に導体をめっきしたものである。この導体壁５は、図３に示すように、スルーホール３の両端に位置する開口部にそれぞれ設けられたランド４間を接続するものである。そして、導体壁５は、後述する切除穴７，７’がスルーホール３に形成されることによって、図４乃至図５に示すように、一部を残して切除される。具体的には、導体壁５は、スルーホール３内で４つの部位に分割され、多層プリント配線基板１の第２層内を境に、表裏２箇所ずつ、それぞれが対向する位置に残存している。なお、表側及び裏側の導体壁５の位置関係は、表側の導体壁５を、スルーホール３の中心を軸に９０度回転させた位置に、裏側の導体壁が位置する。これにより、図５に示すように、後述する切除穴７，７’が重なる部分の距離Ｄだけ導体壁５を絶縁することができる。さらに、導体壁５が、積層方向に分割されるため、分割後に残存するランド４及び導体壁５に異なる信号回路を割り付けることができる。また、対向する導体壁５に接続した信号回路の一方を電源信号に割り付けることで、スルーホール３内でインピーダンス整合を行うことができる。なお、本実施では、導体壁５を、多層プリント配線基板１の第２層内で分割した場合を説明したが、これは一例であって、多層プリント配線基板１の層数や接続したい層間などに応じて変更してもよい。また、導体壁５をスルーホール３内で４つの部位に分割した場合を説明したが、これは一例であって、それぞれが独立して分割されていれば、４つの部位の場合に限られない。
【００３３】
切除穴７，７’は、例えば、ドリルを用いて形成した貫通しないドリル穴である。そして、切除穴７，７’は、ランド４上であってスルーホール３の表裏に、スルーホール３と同じ径の穴が２箇所ずつ形成されている。さらに、切除穴７，７’は、スルーホール３に沿って積層基板１０の基板面に対して垂直に形成されている。これにより、ランド４及び導体壁５を、４つの部位に分割することができる。具体的には、表側の切除穴７は、図２の実線の円で示したように、スルーホール３の開口部及びランド４上に２箇所、対向して形成されている。また、裏側の切除穴７′は、図２の点線の円で示したように、表側の切除穴７をスルーホール３の中心を基準に９０度回転した位置に形成されている。そして、図４及び図５に示すように、切除穴７，７’は、それぞれ多層プリント配線基板１の第２層内まで掘削され、この第２層内で重なった部分の長さだけ導体壁を全て切除する。具体的には、スルーホール３の表裏に形成された切除穴７，７’が重なった部分の距離をＤとすると、多層プリント配線基板１の第２層内で切除穴７，７’が重なった部分の距離Ｄの導体壁５が全て切除される。なお、本実施例では、切除穴７，７’がドリル穴である場合を説明したが、これは一例であって、ランド４及び導体壁５を切除でき、多層プリント配線基板１の全ての層を貫通しないものであれば、他の方法を用いたものであってもよい。また、切除穴７，７’の数も上記箇所の場合に限られず、その切除穴７，７’の大きさもスルーホール３と同じ大きさのものに限られない。さらに、スルーホール３内の導体壁５及びランド４を分割することができれば、切除穴７，７’の切除方向も積層基板１０の基板面に対して垂直に形成された場合に限られない。
【００３４】
次に、本実施例における多層プリント配線基板１の製造方法を、図６（ａ）乃至図６（ｄ）を参照して説明する。まず、図６（ａ）に示すように、多層プリント配線基板１の各層となる絶縁体８に、スルーホール３、ランド４、導体壁５及びパターン６を予め形成する。そして、図６（ｂ）に示すように、各層の配線回路が接続されるように各層を配置して、図６（ｃ）に示すように、各層を一括して積層する。次に、図６（d）に示すように、一括して積層された多層プリント配線基板１に形成されているスルーホール３の表裏に、ドリルなどを用いて切除穴７，７’を形成する。
【００３５】
ここで、切除穴７，７’は、多層プリント配線基板１に形成されているスルーホール３であって、表側及び裏側で異なった信号を割り付けたい箇所に形成する。このとき、切除穴７，７’を、スルーホール３と同じ径の穴で表裏２箇所ずつ、スルーホール３に沿って積層基板１０の基板面に対して垂直に形成する。具体的には、表側の切除穴７を、図２の実線の円で示したように、スルーホール３の開口部及びランド４上に２箇所、対向させて形成する。また、裏側の切除穴７’を、図２の点線の円で示したように、表側の切除穴７をスルーホール３の中心を基準に９０度回転した位置に形成する。すると、切除穴７，７’が、多層プリント配線基板１の第２層内において、切除穴７，７’が重なる部分の距離Ｄだけ導体壁５を全て切除するため、第２層内で導体壁５が絶縁される。このとき、切除穴７，７’が、スルーホール３の開口部に形成されたランド４も切除するため、導体壁５が積層方向に絶縁される。そして、図５に示すように、４つの部位に分割された導体壁５を、各層のパターン６と接続することで、１つのスルーホール３内で、４つの異なる信号回路を接続できるようになる。このとき、対向する導体壁５の一方に接続した信号回路を電源信号に割り当てることで、導体壁５が相互誘導結合状態になり電流を相互に打ち消し合うため、スルーホール３内でインピーダンス整合が行われる。さらに、スルーホール３に異なる信号回路を接続できるため、多層プリント配線基板１の表裏同位置に異なる電子部品を配置できる。
【実施例２】
【００３６】
次に、本発明の第２の実施例を、図７を参照して説明する。図７は、ランド、導体壁及び内部接続ホールの構成を示す構成図である。本実施例では、上述した実施例１における多層プリント配線基板とほぼ同様の構成を採っているが、多層プリント配線基板に内部接続ホール９を設けた点及び多層プリント配線基板の層数が異なる。
【００３７】
図７に示すように、本発明における多層プリント配線基板２１は、絶縁体８と、内層回路２と、が交互に配置されており、それらを一括して積層した多層基板を備えている。具体的には、多層プリント配線基板２１は、積層基板１０内部に、絶縁体８が７層形成されており、各層間に内層回路２を６つ備えている。また、実施例１同様、積層基板１０の基板面に対して垂直に貫通するスルーホール３が、多層プリント配線基板２１の任意の位置に形成されている。そして、スルーホール３の表裏それぞれの開口部には、ランド４が形成されている。さらに、ランド４間を接続する導体壁５が、スルーホール３の内壁に形成されている。そして、ランド４及び導体壁５を切除する切除穴７，７’が、ランド４上であってスルーホール３の表裏に、それぞれ２箇所ずつ形成されている。そして、多層プリント配線基板２１の内部に内部接続ホール９が形成されている。なお、本実施例では、多層プリント配線基板２１が、積層基板１０内部に、絶縁体８と、内層回路２と、を交互に配置して、それらを一括して積層したものである場合を説明したが、これは一例であって、一括して積層した場合に限られず、１層ずつ積み重ねるようにして積層したものであってもよい。以下、図７を参照して、実施例１と異なる構成について詳述する。
【００３８】
内層回路２は、積層基板１０の内部に形成され、パターン６によって構成された配線回路である。この内層回路２は、多層プリント配線基板２１に実装された電子部品（図示せず）間を接続するものである。そして、図７に示すように、積層基板１０の内部には内層回路２が６つ形成されている。また、内層回路２には、所定の箇所にランド４が形成されている。そして、内層回路２を構成するパターン６及びランド４と、導体壁５と、が接続されることで、相互に異なり上下に位置する内層回路２間が接続される。また、内層回路２の所定の箇所には、後述する内部接続ホール９が形成されており、内層回路２間を接続している。なお、本実施例では、内層回路２を６つ形成した場合を説明したが、これは一例であって、６つの場合に限られない。
【００３９】
切除穴７，７’は、実施例１とほぼ同様の構成を採っているが、多層プリント配線基板２１の第４層内まで掘削し、この第４層内で重なった部分の距離だけ導体壁を全て切除する点が異なる。
【００４０】
導体壁５も、実施例１とほぼ同様の構成を採っているが、導体壁５を、多層プリント配線基板２１の第４層内で分割した点で異なる。
【００４１】
内部接続ホール９は、多層プリント配線基板を貫通せずに特定の層間に形成された内層回路２間を接続するスルーホール（IVH（Interstitial Via Hole））である。なお、本実施例では、多層プリント配線基板２１の第２層、第４層及び第６層に内部接続ホール９を形成している。そして、内部接続ホール９と、内層回路２に形成されているパターン６と、が所定の箇所で接続している。これにより、スルーホール３内の導体壁５が所定の層で分割され、表裏独立した信号回路が形成されていても、内部接続ホール９によって特定の層間に形成された内層回路２間を接続し、多層プリント配線基板の表裏を接続することができるため、新たなスルーホールを設けることなく、多層プリント配線基板の表裏接続が可能となる。したがって、多層プリント配線基板における電子部品の高密度実装を実現することができる。
【産業上の利用可能性】
【００４２】
本発明は、プリント基板を有する電子機器などに利用することができ、産業上の利用可能性を有する。
【図面の簡単な説明】
【００４３】
【図１】実施例１における切除穴が形成されたスルーホール周辺の拡大断面図である。
【図２】実施例１における切除穴が形成されたスルーホール周辺の上面図である。
【図３】実施例１における切除穴が形成されていないスルーホール周辺の拡大断面図である。
【図４】実施例１におけるランド、導体壁及び切除穴の位置関係を説明する説明図である。
【図５】実施例１におけるランド及び導体壁の構成を示す構成図である。
【図６】（ａ）乃至（ｄ）は、多層プリント配線基板の製造方法を工程順に説明する説明図である。
【図７】実施例２におけるランド、導体壁及び内部接続ホールの構成を示す構成図である。
【符号の説明】
【００４４】
１，２１  多層プリント配線基板
２  内層回路
３  スルーホール
４  ランド
５  導体壁
６  パターン
７，７’  切除穴
８  絶縁体
９  内部接続ホール
１０  積層基板
【図１】
2008066544.tif 000003
【図２】
2008066544.tif 000004
【図３】
2008066544.tif 000005
【図４】
2008066544.tif 000006
【図５】
2008066544.tif 000007
【図６】
2008066544.tif 000008
【図７】
2008066544.tif 000009